(57)【要約】【課題】  ドレンを排出するための排水設備の不要な給湯器を提供する。【解決手段】  給湯器１では、副熱交換器１０で発生したドレンを、布帛支持部材４５によって支持された布帛５０に吸水させて保持させる。そして、そのドレンが保持された布帛５０に向かって、燃焼用空気供給ファン５による給気の一部を送風することによって、布帛５０に保持されたドレンを気化させて、器具本体２外に排出することができる。これにより、ドレンを排出するための排水設備が不要となるため、排水設備の配管工事等を必要としない。また、布帛５０を布帛支持部材４５によって吊り下げるだけでなく、燃焼用空気供給ファン５の排気の一部を送風するので、布帛５０の気化効率を向上できる。また、従来の構成である燃焼用空気供給ファン５を利用できるので、気化排出手段の製造コストを節約できる。【選択図】  図１
2007085579.tif 000002
【特許請求の範囲】
【請求項１】
器具内に設けられた燃焼室内で燃料ガスを燃焼するバーナと、当該バーナに燃焼用空気を供給する燃焼用空気供給ファンと、前記バーナの燃焼ガスから顕熱を回収して伝熱管内の通水を加熱する主熱交換器と、当該主熱交換器を通過した燃焼ガスから、前記主熱交換器で回収しきれなかった顕熱に加えて潜熱を回収して伝熱管内の通水を加熱する副熱交換器と、当該副熱交換器での潜熱回収によって発生したドレンを受ける受け皿と、当該受け皿に溜まったドレンを気化して前記器具外に排出する気化排出手段とを備えた給湯器であって、
前記気化排出手段は、
当該受け皿に溜まったドレンを吸水して自然蒸発させる吸水部材と、
当該吸水部材の一部を前記受け皿に溜まったドレンに浸して支持する支持手段と、
前記吸水部材に向かって送風する送風手段と
から構成されていることを特徴とする給湯器。
【請求項２】
前記送風手段は、外気を吸引して、前記吸水部材に向かって送風する送風ファンであることを特徴とする請求項１に記載の給湯器。
【請求項３】
前記送風手段は、前記燃焼用空気供給ファンの排気の一部を前記吸水部材に導く配管であることを特徴とする請求項１に記載の給湯器。  
【請求項４】
前記吸水部材は、布帛であることを特徴とする請求項１乃至３の何れかに記載の給湯器。
【請求項５】
前記吸水部材は、熱伝導率の高いセラミックであることを特徴とする請求項１乃至３の何れかに記載の給湯器。
【請求項６】
前記気化排出手段は、前記吸水部材の上部からドレンを流下させて吸水させるドレン流下手段を備えていることを特徴とする請求項１乃至５の何れかに記載の給湯器。
【請求項７】
前記気化排出手段は、前記吸水部材に向かってドレンを散水して吸水させるドレン散水手段を備えていることを特徴とする請求項１乃至５の何れかに記載の給湯器。
【発明の詳細な説明】
【技術分野】
【０００１】
本発明は、給湯器に関し、詳しくは、バーナの燃焼排気から顕熱と潜熱とを回収して通水を加熱する熱交換器を備えた給湯器に関する。
【背景技術】
【０００２】
従来より、燃焼排気流路中の上流側に主に顕熱回収を目的とした主熱交換器を、下流側に主に潜熱回収を目的とした副熱交換器を設けて高い熱交換率が得られる潜熱回収型の給湯器が知られている（例えば、特許文献１参照）。このタイプの給湯器は、例えば、フィンチューブ式の副熱交換器と、フィンチューブ式の主熱交換器とを上下２段に離間して備え、その間のスペースに、副熱交換器にて潜熱回収により発生したドレン（潜熱回収後の凝縮水）を受けるドレン受皿を備える構成となっている。
【０００３】
このような潜熱回収型の給湯器では、まず、バーナからの高温の燃焼排気が、給気ファンにより主熱交換器の各主フィン間を貫流し良好に熱交換される。さらに温度の下がった燃焼排気が、副熱交換器の各副フィン間を流れ、副熱交換器においても良好に熱交換され、排気フードを介して器具外へ排出される。一方、上方に配置された副熱交換器にて潜熱回収により発生したドレンはドレン受皿で集水され、ドレン排管を通って中和器で処理された後、下水道等の排水設備に排出される。
【特許文献１】特開２００２−２６７２７３号公報
【発明の開示】
【発明が解決しようとする課題】
【０００４】
しかしながら、特許文献１に記載の給湯器では、ドレン受皿に集水されたドレンを排出するための排水設備が必要であるため、当該排水設備の配管等の施工工事が面倒であるという問題点があった。
【０００５】
本発明は、上記課題を解決するためになされたものであり、ドレンを排出するための排水設備の不要な給湯器を提供することを目的とする。
【課題を解決するための手段】
【０００６】
上記目的を達成するために、請求項１に係る発明の給湯器によれば、器具内に設けられた燃焼室内で燃料ガスを燃焼するバーナと、当該バーナに燃焼用空気を供給する燃焼用空気供給ファンと、前記バーナの燃焼ガスから顕熱を回収して伝熱管内の通水を加熱する主熱交換器と、当該主熱交換器を通過した燃焼ガスから、前記主熱交換器で回収しきれなかった顕熱に加えて潜熱を回収して伝熱管内の通水を加熱する副熱交換器と、当該副熱交換器での潜熱回収によって発生したドレンを受ける受け皿と、当該受け皿に溜まったドレンを気化して前記器具外に排出する気化排出手段とを備えた給湯器であって、前記気化排出手段は、当該受け皿に溜まったドレンを吸水して自然蒸発させる吸水部材と、当該吸水部材の一部を前記受け皿に溜まったドレンに浸して支持する支持手段と、前記吸水部材に向かって送風する送風手段とから構成されている。
【０００７】
また、請求項２に係る発明の給湯器によれば、請求項１に記載の発明の構成に加え、前記送風手段は、外気を吸引して、前記吸水部材に向かって送風する送風ファンである。
【０００８】
また、請求項３に係る発明の給湯器によれば、請求項１に記載の発明の構成に加え、前記送風手段は、前記燃焼用空気供給ファンの排気の一部を前記吸水部材に導く配管である。
【０００９】
また、請求項４に係る発明の給湯器によれば、請求項１乃至３の何れかに記載の発明の構成に加え、前記吸水部材は、布帛である。
【００１０】
また、請求項５に係る発明の給湯器によれば、請求項１乃至３の何れかに記載の発明の構成に加え、前記吸水部材は、熱伝導率の高いセラミックである。
【００１１】
また、請求項６に係る発明の給湯器によれば、請求項１乃至５の何れかに記載の発明の構成に加え、前記気化排出手段は、前記吸水部材の上部からドレンを流下させて吸水させるドレン流下手段を備えている。
【００１２】
また、請求項７に係る発明の給湯器によれば、請求項１乃至５の何れかに記載の発明の構成に加え、前記気化排出手段は、前記吸水部材に向かってドレンを散水して吸水させるドレン散水手段を備えている。
【発明の効果】
【００１３】
請求項１に係る発明の給湯器では、ドレンは、気化排出手段によって気化されて器具外に排出されるので、ドレンを排出するための排水設備が不要となる。また、ドレンを気化して空気中に排出するので、ドレンを蒸発させて排出するよりもエネルギーが少なくて済むので経済的である。
【００１４】
また、請求項２に係る発明の給湯器では、請求項１に記載の発明の効果に加え、送風ファンによって、吸水部材に向かって送風することができるので、吸水部材の気化効率を向上できる。
【００１５】
また、請求項３に係る発明の給湯器では、請求項１に記載の発明の効果に加え、配管から吸水部材に向かって、燃焼用空気供給ファンの排気の一部を導くことができるので、吸水部材の気化効率を向上できる。また、給湯器が当然有する燃焼用空気供給ファンを利用できるので、製造コストを節約できる。
【００１６】
また、請求項４に係る発明の給湯器では、請求項１乃至３の何れかに記載の発明の効果に加え、吸水部材が布帛であるので、ドレンを吸水して保持することができる。
【００１７】
また、請求項５に係る発明の給湯器では、請求項１乃至３の何れかに記載の発明の効果に加え、吸水部材が熱伝導率の高いセラミックであるので、ドレンを吸水して保持するとともに、吸水部材全体の温度を均一にすることができる。これにより、吸水部材全体からドレンを気化させることができる。
【００１８】
また、請求項６に係る発明の給湯器では、請求項１乃至５の何れかに記載の発明の効果に加え、ドレン流下手段によって、吸水部材の上部からドレンが流下されるので、吸水部材に対してドレンを均一に広げて吸水させることができる。
【００１９】
また、請求項７に係る発明の給湯器では、請求項１乃至５の何れかに記載の発明の効果に加え、ドレン散水手段によって、吸水部材に対しドレンが散水されるので、吸水部材に対してドレンをムラなく供給できる。
【発明を実施するための最良の形態】
【００２０】
以下、本発明の第１，第２の実施形態である給湯器について、図面に基づいて説明する。まず、第１の実施形態である給湯器１について説明する。図１は、第１の実施形態である給湯器１の側面視断面図である。
【００２１】
なお、第１の実施形態である給湯器１は、副熱交換器１０で発生したドレンをドレン受け皿１７と、該受け皿１７に溜まったドレンを吸水して保持する布帛５０とを備えている。そして、その布帛５０に向かって、燃焼用空気供給ファン５による給気の一部を送風することによって、布帛５０に保持されたドレンを気化できる点が本発明の特徴である。
【００２２】
はじめに、給湯器１について概略的に説明する。図１に示すように、給湯器１は、器具本体２を備え、該器具本体２内には燃焼室３が設けられている。そして、その燃焼室３の下方には、モータ４と連結した燃焼用空気供給ファン５が取り付けられており、器具本体２の下部に設けた給気口６を通じて、外気を燃焼用空気として取り込むようになっている。一方、器具本体２の上部には、熱交換後の燃焼排気を排出するための排気口７が開口して設けられている。さらに、排気口７の下方には、気化されたドレンが排出されるドレン排気口２０が開口して設けられている。なお、これら給気口６、排気口７及びドレン排気口２０の位置はこれに限定されない。
【００２３】
次に、燃焼室３の内部構造について説明する。燃焼室３には下から順に、燃料ガスと燃焼用空気供給ファン５からの一次空気との混合ガスを燃焼するバーナ８と、該バーナ８からの燃焼排気中の主に顕熱を回収する主伝熱管９ａと主フィン９ｂとを備えたフィンチューブ式の主熱交換器９と、主に潜熱を回収しドレンを発生する副伝熱管１０ａと副フィン１０ｂとを備えたフィンチューブ式の副熱交換器１０とが設けられている。なお、主熱交換器９は、熱伝導性に優れた銅製であり、副熱交換器１０は、ドレンに対する耐食性に優れたステンレス製であるのが好ましい。
【００２４】
さらに、燃焼室３の上部には、主熱交換器９、副熱交換器１０で熱交換後の燃焼排気を燃焼室３外へ排出する排気孔２７が開口されている。そして、その排気孔２７と前記排気口７との間に筒状の排気フード２８が略水平に渡設され、当該排気フード２８の下流側一端部は、排気口７から器具本体２外に向かって突出している。この排気フード２８によって、熱交換後（潜熱回収後）の燃焼排気が器具本体２外へ排出される。
【００２５】
一方、副熱交換器１０の下方には、発生したドレンを受けるためのステンレス製の平板状のドレン受け部１１が傾斜して設けられている。そして、そのドレン受け部１１と燃焼室３との接触部分には、ドレンを排出するためのドレン抜孔１２が開口され、該ドレン抜孔１２にはドレン排管１３が接続されている。さらに、このドレン排管１３の途中には、Ｓ字トラップ１４が設けられており、ドレンがこのＳ字トラップ１４に溜まることによって、燃焼排気がドレン排管１３を通って器具内に再び戻るのを防いでいる。そして、ドレン排管１３の下流側一端部には、酸性のドレンを中和するための中和器１５が接続されている。さらに、この中和器１５の下流側出口には、中和処理後のドレンが流れるドレン排管１６が接続され、該ドレン排管１６の下流側一端部は、後述する布帛支持部材４５に固定された布帛５０の上部に配置されている。
【００２６】
また、器具本体２の底部には、水道水が供給される給水管３０の入口が設けられ、その給水管３０の下流側一端部は副伝熱管１０ａの入水口に接続されている。さらに、その副伝熱管１０ａの出水口は主伝熱管９ａの入水口に接続されている。そして、その主伝熱管９ａの出水口は巻回管（図示外）に接続されている。なお、この巻回管は燃焼室３の外周を巻回するように配置され、その下流側一端部には出湯管３１が接続されている。そして、その出湯管３１の下流側一端部の出口は、器具本体２の底部に配置されている。また、給水管３０には水流センサや水ガバナを備える水側制御ユニット３４が設けられ、バーナ８にガスを供給するガス管３２には主電磁弁３５及びガス比例弁３６が各々設けられている。さらに、水側制御ユニット３４内の水流センサや、主電磁弁３５及びガス比例弁３６、及びモータ４は、器具本体２の下部に配置され、この給湯器１の燃焼動作を制御するコントローラ４０に電気的に接続されている。
【００２７】
次に、本発明の特徴である気化排出手段の構成について説明する。ドレン排気口２０の直上の内側面には、略水平に延設されると共に、布帛５０を吊り下げて支持するための断面略Ｚ型の布帛支持部材４５が溶接により固定されている。さらに、この布帛支持部材４５には、正面視長方形状の布帛５０の上端部が、複数の固定具４６（図１では１つのみ図示）により固定され、器具本体２の下方に向かって吊り下げられている。なお、この布帛５０の材質は特に限定されないが、例えば、有効気化面積の大きい合成繊維等が用いられる。さらに、この布帛支持部材４５から吊り下げられた布帛５０は、ドレン排気口２０に対向するように配置されている。さらに、布帛５０の下方には、布帛５０に吸水されずに落下したドレンを受けるためのドレン受け皿１７が配設されている。そして、そのドレン受け皿１７に溜まったドレンに布帛５０の下端部が浸された状態となっている。なお、図１に示す布帛支持部材４５が、「支持手段」に相当する。
【００２８】
一方、燃焼室３の下部には挿通穴２３が設けられ、該挿通穴２３には、燃焼用空気供給ファン５の給気の一部を燃焼室３外に引き込むための給気配管３３の上流側一端部が接続されている。そして、その給気配管３３の下流側一端部は、ドレン排気口２０に対向する布帛５０の表面とは反対の面に対向して配置され、前記下流側一端部には、布帛５０の裏面に向かって拡径された拡径部３３ａが設けられている。以上構成により、ドレンを気化する気化排出手段が構成されている。なお、図１に示す給気配管３３が、「配管」に相当する。
【００２９】
次に、上記構成からなる給湯器１の動作について説明する。図１に示すように、まず、給湯栓（図示外）を開くことにより、給水管３０に水道水が流れ、水側制御ユニット３４内の水量センサからの検知信号によりコントローラ４０が給湯制御動作を開始する。そして、燃焼用空気供給ファン５により所定のプリパージが行われ、その後、バーナ８の主電磁弁３５及びガス比例弁３６が開かれ、バーナ８にガスが供給されると共に、イグナイタ（図示外）によりバーナ８の点火動作が行われる。
【００３０】
次いで、点火動作が終了すると比例制御が開始される。この比例制御では、出湯温サーミスタ（図示外）で検出される湯温と設定温度との差に応じて、ガス比例弁３６を制御することにより、ガス量を連続的に変化させて熱交換器の出口温度を一定に保つことができる。また、ガス比例弁３６によるガス量の変化に応じて、燃焼用空気供給ファン５の回転数も変えられ、常にガス量と給気量とが所定の関係に保たれるように制御される。
【００３１】
また、この給湯器１では、主熱交換器９が排気流路の上流に設けられ、副熱交換器１０が排気流路の下流に設けられているため、バーナ８からの高温の燃焼排気が、燃焼用空気供給ファン５により主熱交換器９の各主フィン９ｂ間を貫流し良好に熱交換される。さらに、温度の下がった燃焼排気は、副熱交換器１０の各副フィン１０ｂ間を流れ、副熱交換器１０においても良好に熱交換して排気フード２８を通って器具外へ排出される。
【００３２】
一方、主熱交換器９から排出される燃焼排気は、通水部である主伝熱管９ａのような局所的な低温部での部分的なドレン発生を防ぐために、約２００℃という高温で排出されている。一方、副熱交換器１０では、主熱交換器９で回収しきれなかった顕熱を回収し、燃焼排気温が露点以下になるとドレンが発生するため、潜熱も回収することができる。ここで発生したドレンは、ドレン受け部１１を流れ、ドレン排管１３を通り、中和器１５で中和処理される。そして、中和器１５によって中和処理されたドレンは、ドレン排管１６を介して、次に説明する方法によって気化されて排出される。
【００３３】
次に、給湯器１におけるドレンの気化排出方法について説明する。まず、中和器１５によって中和処理されたドレンは、ドレン排管１６を介して、布帛支持部材４５によって支持された布帛５０の上部に向かって滴下される。上記したように、布帛５０は、布帛支持部材４５によって吊り下げられているので、布帛５０の上部に滴下されたドレンは、その重力方向に向かって浸透し、最終的に布帛５０全体に渡って吸水される。また、布帛５０に吸水しきれなかったドレンは、布帛５０の下方に配置されたドレン受け皿１７に溜められる。そして、布帛５０の下端部は、ドレン受け皿１７に溜まったドレンに浸されているので、毛細管現象により、ドレン受け皿１７に溜まったドレンが布帛５０の下側から再度吸い上げられる。これにより、布帛５０には、ドレンの最大保持容量を超えないドレンの最大量を常に吸水させて保持させることができる。
【００３４】
一方、給気配管３３の拡径部３３ａから布帛５０の裏面に向かって、燃焼用空気供給ファン５からの給気の一部が供給される。これにより、燃焼用空気供給ファン５の動作中は、布帛５０全体に空気が直接当たるため、布帛５０に吸水されて保持されたドレンは随時気化する。そして、気化されたドレンは、布帛５０に形成された複数の孔部を通過する空気の流れによって、ドレン排気口２０から器具本体２の外側に排出される。これにより、ドレンを排出するための排水設備が不要となるため、排水設備の配管工事等を必要としない。
【００３５】
以上説明したように、第１の実施形態である給湯器１では、副熱交換器１０で発生したドレンを布帛５０に吸水させて保持させる。そして、そのドレンが保持された布帛５０に向かって、燃焼用空気供給ファン５による給気の一部を送風することによって、布帛５０に保持されたドレンを気化させて、器具本体２外に排出することができる。これにより、ドレンを排出するための排水設備が不要となるため、排水設備の配管工事等を必要としない。また、布帛５０を布帛支持部材４５によって吊り下げるだけでなく、燃焼用空気供給ファンの排気の一部を送風するので、布帛５０の気化効率を向上できる。また、給湯器が元来有する燃焼用空気供給ファン５を利用できるので、気化排出手段の製造コストを節約できる。
【００３６】
次に、第２の実施形態である給湯器１００について、図面に基づいて説明する。図２は、第２の実施形態である給湯器１００の側面視断面図である。
【００３７】
なお、第２の実施形態である給湯器１００は、第１の実施形態である給湯器１の変形例であり、燃焼用空気供給ファン５とは別の給気ファン６５を備えている。そして、その給気ファン６５からの給気を、布帛支持部材４５に支持された布帛５０に向かって送風することによって、布帛５０に保持されたドレンを気化できる点が本発明の特徴である。よって、以下説明では、給湯器１と共通の部材について同符号を付して説明し、給湯器１と共通の構造部分については説明を省略する。
【００３８】
図２に示すように、燃焼室３の外側には、燃焼用空気供給ファン５とは別の給気ファン６５が設けられている。この給気ファン６５にはモータ６６が連結され、該モータ６６は、コントローラ４０に電気的に接続されている。また、その給気ファン６５には給気配管４３が接続され、該給気配管４３の下流側一端部には、布帛支持部材４５に支持された布帛５０の裏面に向かって拡径された拡径部４３ａが設けられている。そして、第１の実施形態の給湯器１と同様に、ドレン排気口２０に対向して、布帛５０が布帛支持部材４５から吊り下げられるように支持され、その布帛５０の下端部は、ドレン受け皿１７内に溜まったドレンに浸された状態となっている。
【００３９】
次に、給湯器１００におけるドレンの気化排出方法について説明する。まず、第１の実施形態の給湯器１と同様に、中和器１５によって中和処理されたドレンは、ドレン排管１６を介して、布帛支持部材４５によって支持された布帛５０の上部に向かって滴下される。そして、その布帛５０の上部に滴下されたドレンは、その重力方向に向かって浸透し、最終的に布帛５０全体に渡って吸水される。また、布帛５０に吸水しきれなかったドレンは、布帛５０の下方に配置されたドレン受け皿１７に溜められる。そして、布帛５０の下端部は、ドレン受け皿１７に溜まったドレンに浸されているので、毛細管現象により、ドレン受け皿１７に溜まったドレンが布帛５０の下側から再度吸い上げられる。
【００４０】
一方、コントローラ４０から出力された制御信号によって、モータ６６が駆動し、給気ファン６５が駆動する。すると、給気ファン６５からの給気が給気配管４３を通過し、該給気配管４３の拡径部４３ａから布帛５０の裏面全体に向かって供給される。これにより、給気ファン６５からの給気が布帛５０の裏面全体に直接当たるため、布帛５０に吸水されて保持されたドレンは随時気化する。そして、気化されたドレンは、布帛５０に形成された複数の孔部を通過する空気の流れによって、ドレン排気口２０から器具本体２の外側に排出される。これにより、ドレンを排出するための排水設備が不要となるため、排水設備の配管工事等を必要としない。また、給気ファン６５は、コントローラ４０の制御により、その送風量を調整することができるので、布帛５０からの気化量を自由に調整することができる。
【００４１】
以上説明したように、第２の実施形態である給湯器１００では、第１の実施形態の給湯器１と同様に、副熱交換器１０で発生したドレンを布帛５０に吸水させて保持させている。そして、そのドレンが保持された布帛５０に向かって、給気ファン６５からの給気を送風することによって、布帛５０に保持されたドレンを気化させて、器具本体２外に排出することができる。これにより、ドレンを排出するための排水設備が不要となるため、排水設備の配管工事等を必要としない。また、布帛５０を布帛支持部材４５によって吊り下げるだけでなく、給気ファン６５からの給気を送風できるので、布帛５０の気化効率を向上できる。
【００４２】
さらに、給気ファン６５の送風量を調整することで、布帛５０からのドレン気化量を自由に調整することができる。また、副熱交換器１０で発生するドレン量によって、給気ファン６５の送風量を調整できるので、電力コストの節約もできる。
【００４３】
なお、本発明は上記実施形態に限定されることなく、様々な変形が可能であることは言うまでもない。例えば、上記第１，第２の実施形態では、吸水部材に布帛５０を用いたが、例えば、熱伝導率の大きいセラミックからなる合成樹脂（例えば、炭化ケイ素）でもよい。この場合、吸水部材の熱伝導率が高いため、ドレンを吸水して保持するとともに、吸水部材全体の温度を均一にすることができる。これにより、吸水部材全体からドレンを気化させることができる。また、セラミックからなる合成樹脂と布帛を組み合わせた吸水部材を用いることも可能である。この場合、吸水部材の下部を布帛にし、ドレンの吸水性能を担保するのが好ましい。
【００４４】
また、布帛５０は、布帛５０の一面がドレン排気口２０に対して対向するように配置されているが、ドレン排気口２０に対して直交する方向に沿って配置させてもよい。さらに、布帛５０は一枚に限らず、例えば、所定間隔毎に複数枚配列させて支持させてもよい。そして、空気（燃焼用空気供給ファン５からの給気、又は給気ファン６５からの給気）の流れに対して平行になるように布帛５０を各々配列させ、その所定間隔が空けられた隙間に空気が流れるようにしてもよい。この場合、空気とドレン（布帛５０に保持された水）との接触面積が大きくなるため、ドレンの気化効率をより向上できる。
【００４５】
さらに、上記実施形態では、中和器１５で発生したドレンを、ドレン排管１６から、布帛支持部材４５に固定された布帛５０の上部から滴下させて重力方向に吸水させたが、例えば、ドレン受け皿１７に溜まったドレンをポンプで吸い上げ、布帛５０全体に対してノズル等で散水することによって、布帛５０全体に吸水させてもよい。
【００４６】
また、中和器１５で中和されたドレンをドレン受け皿１７に供給し、該ドレン受け皿１７に溜まったドレンを、毛細管現象だけで布帛５０に吸水させてもよい。
【００４７】
さらに、布帛５０は、その上端部が布帛支持部材４５に対して、固定具４６で固定されることによって支持されているが、布帛５０を支持する支持方法はこれに限らず、布帛５０の上端部を挟んで固定するようにしてもよい。
【００４８】
また、布帛５０は、布帛支持部材４５によって平面状に吊り下げられているが、例えば、布帛５０をヒダ状又はジグザグ状にして略水平に支持し、その一部をドレン受け皿１７に溜まったドレンに浸した状態としてもよい。さらに、無端（ループ）状の吸水部材を用意し、この下部をドレン受け皿に浸すように設け、その吸水部材を外部動力にて、回転駆動させる構成を採用することも可能である。
【産業上の利用可能性】
【００４９】
本発明の給湯器は、熱交換器でドレンが発生する給湯器に適用可能である。
【図面の簡単な説明】
【００５０】
【図１】第１の実施形態である給湯器１の側面視断面図である。
【図２】第２の実施形態である給湯器１００の側面視断面図である。
【符号の説明】
【００５１】
１    給湯器
２    器具本体
３    燃焼室
５    燃焼用空気ファン
９    主熱交換器
９ａ  主伝熱管
１０    副熱交換器
１０ａ  副伝熱管
１７    ドレン受け皿
３３    給気配管
４５    布帛支持部材
５０    布帛
６５    給気ファン
１００    給湯器
【図１】
2007085579.tif 000003
【図２】
2007085579.tif 000004